(57)【要約】【課題】画像形成装置の原稿読取部内部に備えられる可動部材に対して作業を行う作業者の安全の確保及び可動部材の破損を防止する。【解決手段】プラテンガラス１１を挟持するガラス押え板１６ａ及びガラス支持板１６ｂを備え、ガラス支持板１６ｂのプラテンガラス１１が対向する凹部にセンサ１７を配置する。プラテンガラス１１がガラス押え板１６ａ及びガラス支持板１６ｂに挟持されている際は、センサ１７から制御部６０にＯＮ信号を出力させ、プラテンガラス１１がガラス支持板１６ｂ上から取り外された際は、センサ１７から制御部６０にＯＦＦ信号を出力させる。【選択図】図３
2005115076.tif 000002
【特許請求の範囲】
【請求項１】
駆動部の駆動により可動部材を動作させて原稿を読み取る原稿読取部を備えた画像形成装置において、
原稿読取部から着脱自在であって前記可動部材の周辺に配置された周辺部材が、原稿読取部から取り外されたか否かを検出する検出手段と、
前記検出手段の検出結果に基づいて前記周辺部材が取り外されている状態で前記可動部材の駆動を禁止する制御手段と、を備えたことを特徴とする画像形成装置。
【請求項２】
前記周辺部材は、前記可動部材に対向するプラテンガラスであることを特徴とする請求項１に記載の画像形成装置。
【請求項３】
前記検出手段は、前記周辺部材又は周辺部材を固定する部材の変位を検出するセンサであることを特徴とする請求項１に記載の画像形成装置。
【請求項４】
前記周辺部材の着脱状態に応じて電源装置と負荷装置とを接続するコネクタを接続又は切断する接離機構を備え、
前記検出手段は、前記負荷装置の通電状態を検出することを特徴とする請求項１に記載の画像形成装置。
【発明の詳細な説明】
【技術分野】
【０００１】
この発明は、原稿の画像を読み取って用紙に画像形成を行う画像形成装置に関する。
【背景技術】
【０００２】
従来より用紙（ＯＨＰ等の記録媒体を含む。）に画像を形成する画像形成装置は、通電状態を維持した状態で装置カバー（主に前カバー）の開放動作等によって、本体装置に備えられる負荷装置である定着ランプ等の高圧、高温部の動作が停止するように構成されている。これは、用紙搬送路上を搬送中のＪＡＭした用紙を取り除く時、現像剤の補給動作時及び廃トナーボックスの回収や交換時等の画像を形成する画像形成部内部及び用紙搬送路上での作業時に作業者の安全を確保するために必要である。つまり、負荷装置の動作を停止しないと、作業者が上記作業中に動作した負荷装置に接触して怪我等をするからである。通常、上記作業を行う際はまず装置カバーを開放して本体装置内部を露出させた作業し易い状態にする。そこで、装置カバーが開放された状態において本体装置の制御手段は、作業者が作業をしていると判断して画像形成部や用紙搬送路上に備えられた負荷装置の動作を停止する。
【０００３】
例えば、近年の画像形成装置には、トナーカートリッジの有無及び本体装置の外装に備えられる装置カバーの開閉を検知するセンサを備え、トナーカートリッジが装着され且つ交換用外装カバーが完全に閉じられた状態がセンサによって検出された場合にのみ画像形成動作を行い、装置カバーが開放された状態では画像形成動作を禁止するものがある（例えば、特許文献１参照。）。
【特許文献１】特開平１１−１８４３２９号公報
【発明の開示】
【発明が解決しようとする課題】
【０００４】
従来の画像形成装置は装置カバーを開放しない状態で原稿読取部内部に対して作業を行うことがあるが、上述の特許文献１のように装置カバーが開放された状態でのみ画像形成動作を禁止する構成では、原稿読取部に対する作業者の安全性が確保されていない。
【０００５】
例えば、サービスマンが原稿読取部内部の読取光学系に備えられる可動部材である走査体の汚れの清掃や、保守・点検を行う作業時に、走査体の周辺に配置される周辺部材であって走査体に対向するプラテンガラスを取り外して作業を行う。走査体は、画像形成時にプラテンガラスの面方向に沿って移動する。上記走査体に対する作業中に走査体が動作した場合、作業者の手等が挟まれて怪我をする又は可動部材である走査体に歪が発生する可能性がある。
【０００６】
この発明の目的は、画像形成装置の原稿読取部内部に備えられる可動部材に対して作業を行う作業者の安全の確保及び可動部材の破損を防止する画像形成装置を提供することにある。
【課題を解決するための手段】
【０００７】
この発明は、上記の課題を解決するために、以下の構成を備えている。
【０００８】
（１）駆動部の駆動により可動部材を動作させて原稿を読み取る原稿読取部を備えた画像形成装置において、
原稿読取部から着脱自在であって前記可動部材の周辺に配置された周辺部材が、原稿読取部から取り外されたか否かを検出する検出手段と、
前記検出手段の検出結果に基づいて前記周辺部材が取り外されている状態で前記可動部材の駆動を禁止する制御手段と、を備えたことを特徴とする。
【０００９】
この構成においては、検出手段によって可動部材の周辺に配置された周辺部材が原稿読取部から取り外されたか否かが検出され、周辺部材が原稿読取部から取り外されている状態では可動部材の駆動が禁止される。したがって、周辺部材が原稿読取部から取り外されている状態では可動部材は駆動されないので、可動部材に対する作業を行う作業者が、動作した可動部材に接触して手等を怪我等することが防止される。また作業者が、動作した可動部材に接触して可動部材を破損させることが防止される。
【００１０】
（２）前記構成部材は、前記可動部材に対向するプラテンガラスであることを特徴とする。
【００１１】
この構成においては、検出手段によって可動部材の周辺となる可動部材に対向する位置に配置されたプラテンガラスが原稿読取部から取り外されたか否かが検出される。プラテンガラスは可動部材に対向しているので、可動部材に対して作業する際は原稿読取部から取り外される可能性が高い。そのため、可動部材に対向するプラテンガラスが原稿読取部から取り外された際に可動部材の駆動が禁止されることで、他の周辺部材の検出を行うよりも適切に作業者の怪我等の防止、また可動部材の破損が防止される。
【００１２】
（３）前記検出手段は、前記周辺部材又は周辺部材を固定する部材の変位を検出するセンサであることを特徴とする。
【００１３】
この構成においては、センサによって周辺部材又は周辺部材を固定する部材の位置の変化が検出されるので、周辺部材が原稿読取部に装着されるべき位置にあるか否か又は周辺部材を固定する部材が周辺部材を固定する位置にあるか否かが検出される。周辺部材が原稿読取部に装着されるべき位置にない状態は、周辺部材が原稿読取部から取り外されている状態である。また、周辺部材を固定する部材が周辺部材を固定する位置にない状態は、周辺部材が原稿読取部に完全に装着されていない、周辺部材が原稿読取装置に対して着脱可能な状態である。
【００１４】
したがって、周辺部材が原稿読取部に装着されるべき位置にない状態又は周辺部材を固定する部材が周辺部材を固定する位置にない状態において可動部材の駆動が禁止される。これにより、センサによって直接的に周辺部材又は周辺部材を固定する部材の変位が検出される。
【００１５】
（４）前記周辺部材の着脱状態に応じて電源装置と負荷装置とを接続するコネクタを接続又は切断する接離機構を備え、
前記検出手段は、前記負荷装置の通電状態を検出することを特徴とする。
【００１６】
この構成においては、電源装置と負荷装置とを接続するコネクタが周辺部材の着脱状態に応じて接続又は切断されて電源装置から負荷装置に電力が供給される又は停止される。また、検出手段によって負荷装置の通電状態が検出される。検出手段によって検出された通電状態が周辺部材が原稿読取部から取り外された際の状態であれば、可動部材の駆動が禁止される。したがって、本体装置に備えられるべきコネクタ、負荷装置及び電源装置を利用して周辺部材の原稿読取部に対する着脱状態が検出される。
【発明の効果】
【００１７】
この発明によれば、以下の効果を奏することができる。
【００１８】
（１）周辺部材が原稿読取部から取り外された状態で可動部材の駆動を禁止することによって、可動部材に対する作業を行う作業者が、駆動された可動部材に接触して手等を怪我等することを防止できるので、可動部材に対する作業者の安全性を確保することができる。また作業者が、駆動された可動部材に接触して可動部材を破損させることを防止できる。
【００１９】
（２）可動部材に対向するプラテンガラスが原稿読取部から取り外された状態で可動部材の駆動を禁止することによって、プラテンガラスは可動部材に対向しているので原稿読取部から取り外すと可動部材が露出して作業者が可動部材に対する作業を行い易く、プラテンガラスが原稿読取部から取り外された際は可動部材に対して作業が行われる可能性が高いので、他の周辺部材の検出を行うよりも適切に作業者の怪我等の防止、また可動部材の破損の防止を行うことができる。
【００２０】
（３）センサを用いて周辺部材又は周辺部材を固定する部材の位置の変化を検出することによって、センサによって直接的に周辺部材又は周辺部材を固定する部材の変位が検出されるので、容易な構成で周辺部材が原稿読取部から取り外されたか否かを検出できる。
【００２１】
（４）接離機構を用いて電源装置と負荷装置とを接続するコネクタを周辺部材の着脱状態に応じて接続又は切断し、負荷装置の通電状態を検出することによって、本体装置に備えられるべきコネクタ、負荷装置及び電源装置を利用して周辺部材の原稿読取部に対する着脱状態を検出できるので、センサ等を設ける必要がなく、コストアップを抑制できる。
【発明を実施するための最良の形態】
【００２２】
図１は、この発明の実施形態に係る画像形成装置の概略の構成を示す断面図である。この発明の本体装置である画像形成装置１００は、用紙（ＯＨＰ等の記録媒体を含む。）に画像を形成する画像形成モードとしてコピアモード、プリンタモード、ＦＡＸモードを有し、各モードはユーザによって選択され、また両面印字が可能である。
【００２３】
また、画像形成装置１００は、原稿読取部１０、給紙部２０、画像形成部３０、排紙部４０、図示しない操作パネル部及び制御部等から構成される。この発明の原稿読取装置である原稿読取部１０は、装置本体の上部に配置され、プラテンガラス１１、自動原稿搬送装置１２、第１走査体１３、第２走査体１４、読取光学部１５等から構成される。また、原稿読取部１０は、プラテンガラス１１上に載置された原稿の原稿面を走査して画像情報を読み取る。自動原稿搬送装置１２の下方に配置されたプラテンガラス１１は、透明ガラスで構成され、上面に原稿面が対向するように原稿が載置される。自動原稿搬送装置１２は、原稿セットトレイ１２ａ上に収納された原稿を自動的にプラテンガラス１１上に給送する。原稿セットトレイ１２ａに複数枚の原稿が載置されている場合は、１枚ずつプラテンガラス１１上に給送する。
【００２４】
第１走査体１３は、露光ランプ１３ａ及び第１反射ミラー１３ｂ等から構成されている。露光ランプ１３ａは、プラテンガラス１１上に載置された原稿又は自動原稿搬送装置１２によってプラテンガラス１１上に給送された原稿の原稿面を露光する。第１反射ミラー１３ｂは、原稿面において反射した画像光を後述する第２反射ミラーに入射させる。
【００２５】
第２走査体１４は、第２反射ミラー１４ａ及び第３反射ミラー１４ｂ等から構成されている。第２反射ミラー１４ａは、第１反射ミラー１３ｂから入射する画像光を反射して第３反射ミラー１４ｂに入射させる。第３反射ミラー１４ｂは、第２反射ミラー１４ａから入射する画像光を反射して読取光学部１５を構成する結像レンズ１５ａに入射させる。読取光学部１５は、結像レンズ１５ａ及びＣＣＤ（Charge Coupled Device ）１５ｂ等から構成され、原稿面からの画像光を読み取る。結像レンズ１５ａは、第３反射ミラー１４ｂから入射された画像光をＣＣＤ１５ｂ上に結像する。ＣＣＤ１５ｂは、受光した画像光を光電変換する。
【００２６】
また、プラテンガラス１１上に載置された原稿の原稿面を読み取る際、第１走査体１３は、図示しない駆動手段によってプラテンガラス１１の面方向に沿って所定の移動速度Ｖで移動し、露光ランプ１３ａが原稿面を露光する。この時、第２走査体１４は、第１走査体１３の移動に連動してプラテンガラス１１の面方向に沿って移動速度Ｖ／２で移動しつつ第１走査体１３から入射される原稿面の画像光を結像レンズ１５ａに入射させる。第１走査体１３の移動速度Ｖに対して第２走査体１４の移動速度をＶ／２としたのは、原稿面からＣＣＤ１５ｂまでの光路Ｍの光路長を一定に保って正確に画像光を受光するためである。
【００２７】
また、第１走査体１３及び第２走査体１４は、図２に示すようにこの発明の駆動部であるモータ６１の駆動により動作する。モータ６１は、ドライバ６２を介して制御部６０に接続され、制御部６０によって駆動が制御されている。制御部６０は、この発明の制御手段であり、上記の画像形成装置１００の全体の動作を制御する。詳細は後述する。
【００２８】
一方、自動原稿搬送装置１２の原稿載置トレイ１２ａに収納されている原稿を読み取る際、第１走査体１３は、図１に示す所定の読取位置Ｓに静止した状態で、原稿搬送路Ｒ上を経由して第１走査体１３に対向するプラテンガラス１１上に給送されてきた原稿の原稿面を露光する。露光された原稿は排紙トレイ１２ｂに載置される。この時、第２走査体１４も同様に読取位置Ｔに静止した状態で第１走査体からの画像光を結像レンズ１５ａに入射させる。
【００２９】
給紙部２０は、装置本体の下部に配置され、給紙トレイ２１、手差トレイ２２及び給紙ローラ２３、捌き部材２４等から構成される。給紙トレイ２１及び手差トレイ２２は、画像形成時に用紙搬送路Ｓに給紙される用紙を載置する。給紙ローラ２３は、回転して捌き部材２４に給紙トレイ２１等に収納されている用紙を搬送する。捌き部材２４は、給紙ローラ２３によって搬送されてきた用紙が複数枚に重なって搬送されてきた際に１枚ずつ用紙搬送路Ｓに搬送する。
【００３０】
画像形成部３０は、原稿読取部１０の下方の手差トレイ２２側に配置され、レーザスキャニングユニット（以下、ＬＳＵと言う。）３７、この発明の像担持体である感光体３１及び定着装置３６を有し、感光体３１の周囲に、帯電器３２、現像装置３３、転写装置３４及びクリーニングユニット３５を感光体３１の回転方向である矢印Ｙ方向に沿ってこの順に配置して構成されている。
【００３１】
排紙部４０は、給紙トレイ２１の上方に配置され、排紙ローラ４１及び排紙トレイ４２等から構成される。排紙ローラ４１は、用紙搬送路Ｓ上を搬送されてきた用紙を排紙トレイ４２に排出する。さらに、排紙ローラ４１は可逆回転が可能であり、用紙の両面に画像形成を行う際、用紙搬送路Ｓ上を搬送されてきた表面の画像形成が終了した用紙をチャックした後、上記用紙を排出する回転方向とは逆方向に回転して用紙搬送路Ｓ′に搬送する。これにより、用紙の表裏面を反転させて裏面が感光体３１に対向し、裏面に画像形成が行われる。排紙トレイ４２は、排紙ローラ４１から排出された画像形成の終了した用紙を収納する。
【００３２】
コピアモードにおいて原稿の画像を用紙にコピーする際、原稿読取部１０のプラテンガラス１１又は原稿載置トレイ１２ａにコピーしたい原稿を載置した後、操作パネル部に設けられた各入力キーを押下して印字枚数、印字倍率等の設定入力を行い、図示しないスタートキーを押下してコピー動作を開始する。
【００３３】
プラテンガラス１１等に載置された原稿は、原稿面の画像情報が原稿読取部１０によって読み取られる。読み取られた画像情報は、入力キー等を用いて入力された条件で画像処理が施された後、ＬＳＵ３７にプリントデータとして送信される。ＬＳＵ３７は、帯電器３２によって所定の電位に帯電された感光体３１の外周部に、図示しないポリゴンミラー及び各種レンズを介して上記画像情報に基づいたレーザ光を照射して静電潜像を形成する。その後、現像装置３３に設けられたＭＧローラ３３ａ表面に付着しているトナーが、感光体３１の外周部の電位ギャップに応じて感光体３１の外周部に引き寄せられて付着し、静電潜像が顕像化される。
【００３４】
また、スタートキーが押下されると、画像形成装置１００は、給紙ローラ２３が回転して用紙搬送路Ｓに用紙が給紙される。給紙された用紙は、用紙搬送路Ｓ上に設けられたレジストローラ５１に搬送される。
【００３５】
用紙における搬送方向の先端部は、レジストローラ５１の軸方向と平行になるようにレジストローラ５１にチャックされる。
【００３６】
その後、用紙は、レジストローラ５１によって感光体３１の外周部に形成されたトナー画像との位置が合うように感光体３１と転写装置３４との間に再搬送される。次に、転写装置３４に設けられた図示しない転写ローラを用いて感光体３１の外周部のトナー画像を上記用紙に転写する。トナー画像の転写が終了した用紙は、定着装置３６を通過する際に熱と圧力が加えられてトナー画像が溶融・固着され、排紙ローラ４１によって排紙トレイ４２に排出される。
【００３７】
トナー像を用紙に転写後の感光体３１の外周部に付着している残留トナー及び紙粉等は、クリーニングユニット３５によって回収される。
【００３８】
図２は、この発明の実施形態に係る画像形成装置に備えられる原稿読取部の一部を拡大した断面図である。図２に示すように、プラテンガラス１１は、ガラス押え板１６ａ及びガラス支持板１６ｂに挟持されて原稿読取部１０の装置外装１０ａに取り付けられている。また、ガラス支持板１６ｂの開口部に、シェーディング補正板１８が配置されている。シェーディング補正板１８は、公知のシェーディング補正を行う際に用いられる。
【００３９】
また、ガラス支持板１６ｂは、図３に示すようにプラテンガラス１１に対向する凹部にセンサ１７を備えている。センサ１７は、制御部６０に接続され、プラテンガラス１１の原稿読取部１０に対する着脱状態についてのプラテンガラス１１の変位を検出した結果を制御部６０に出力する。図３（ａ）に示すように、プラテンガラス１１が装置外装１０ａに取り付けられている状態では、センサ１７は制御部６０にＯＮ信号を出力する。また、図３（ｂ）に示すように、プラテンガラス１１が装置外装１０ａに取り付けられていない状態では、センサ１７は制御部６０にＯＦＦ信号を出力する。
【００４０】
図４は、この発明の実施形態に係る画像形成装置に備えられる制御部の通電中の処理の一部を示すフローチャートである。主電源装置をＯＮして本体装置を起動させた後、制御部６０は、プラテンガラス１１が原稿読取部１０に装着されているか否かをセンサ１７から受信した信号に基づいて判断する（Ｓ１）。Ｓ１において、プラテンガラス１１が原稿読取部１０から取り外されていると判断した場合は、操作パネル部の表示部にプラテンガラス１１が取り外されていることを表示してユーザ等に警告を行う（Ｓ２）。
【００４１】
その後、プラテンガラス１１が原稿読取部１０に装着されたか否かをセンサ１７から受信した信号を用いて判断し（Ｓ３）、所定の時間が経過する（Ｓ４）まで、Ｓ２，Ｓ３の処理を繰り返し実行し、Ｓ３において所定の時間が経過するまでにプラテンガラス１１が原稿読取部１０に装着されたと判断した場合は、Ｓ６の処理に移行する。また、Ｓ３においてプラテンガラス１１が原稿読取部１０に装着されたと判断されずに所定の時間が経過した場合は、主電源装置をＯＦＦして装置本体の動作を停止する（Ｓ５）。
【００４２】
一方、Ｓ１において、プラテンガラス１１が原稿読取部１０に装着されていると判断した場合は、原稿読取部１０に備えられる第１走査体１３及び第２走査体１４の現在の位置が所定位置（ホームポジション）であるか否かを判断する（Ｓ６）。Ｓ６において、第１走査体１３及び第２走査体１４の現在の位置が所定位置ではないと判断した場合は、各走査体１３，１４を所定位置に移動させ（Ｓ７）、再びＳ６に戻る。また、Ｓ６において、第１走査体１３及び第２走査体１４の現在の位置が所定位置であると判断した場合は、露光ランプ１３ａへの電力の供給を開始し（Ｓ８）、露光ランプ１３ａの光量が所定の光量に到達したか否かを判断する（Ｓ９）。
【００４３】
Ｓ９において、露光ランプ１３ａの光量が所定の光量に到達しないと判断した場合は、所定の光量に到達するまでＳ９の判断を繰り返す。Ｓ９において、露光ランプ１３ａの光量が所定の光量に到達したと判断した場合は、第１走査体１３をシェーディング補正板１８に対向する位置に移動させ、また第２走査体１４を第１走査体１３に連動した位置に移動させた後にシェーディング補正を行う（Ｓ１０）。次に、画像形成要求があるか否かを判断する（Ｓ１１）。
【００４４】
Ｓ１１において、画像形成要求があると判断した場合は、画像形成部３０等の各部の初期化が完了しているか否かを判断し（Ｓ１２）、初期化が完了していないと判断した場合は、初期化が完了するまでＳ１２の判断を繰り返す。Ｓ１２において、初期化が完了したと判断したと場合は、第１走査体１３等を動作させて原稿の画像情報の読取処理を行い（Ｓ１３）、読み取った画像情報に画像処理を施した後に用紙に画像を形成する画像形成処理を実行する（Ｓ１４）。さらに、続けて画像形成を行うか否かを判断し（Ｓ１５）、画像形成を行う場合はＳ１３の処理に移行し、画像形成を行う必要がなければＳ１６の処理に移行する。
【００４５】
一方、Ｓ１１において、画像形成要求がないと判断した場合は、再度プラテンガラス１１が原稿読取部１０に装着されているか否かを判断し（Ｓ１６）、装着されていないと判断した場合はＳ２の処理に移行する。また、Ｓ１６において、プラテンガラス１１が原稿読取部１０に装着されていると判断した場合は、待機モード移行時間が経過したか否かを判断し（Ｓ１７）、経過していないと判断した場合はＳ１１の処理に戻って待機モード移行時間が経過するまでＳ１１〜Ｓ１７の処理を繰り返し行う。ここで、再度プラテンガラス１１が原稿読取部１０に装着されているか否かの判断を行うのは、主電源装置がＯＮされていた状態である装置本体の起動中にプラテンガラス１１が原稿読取部１０から取り外される場合もあるからである。
【００４６】
なお、待機モード移行時間は、本体装置が画像形成要求を受信した際はリセットされ、画像形成処理終了Ｓ１４時に再計測が開始される。
【００４７】
またＳ１７において、待機モード移行時間が経過したと判断した場合は、待機モードの処理を実行する（Ｓ１８）。なお、待機モードは主電源装置がＯＦＦされた状態であり、待機モードを用いることで本体装置に備えられた副電源装置から必要最低限の負荷装置にのみ電力を供給し、省電力化を図っている。待機モード中は、ユーザによって又は画像形成要求信号の受信によって主電源装置がＯＮされるまでは待機モード処理が継続される。
【００４８】
また、待機モードにおいてプラテンガラス１１が取り外された場合は、Ｓ２〜Ｓ５のような作業者に警告を行う処理及び主電源装置をＯＦＦする等の処理は行わない。つまり、待機モード中は、必要最低限の負荷装置にしか電力が供給されていないため、第１走査体１３等の原稿読取時に動作する箇所には電力が供給されておらず、第１走査体１３等が動作することはないからである。また、待機モード中にプラテンガラス１１が原稿読取部１０から取り外されている状態で主電源装置がＯＮされれば図４に示すＳ１の処理においてＳ２の作業者に警告を行う処理に移行するため問題ない。
【００４９】
上記の構成によって、この発明の可動部材である第１走査体１３及び第２走査体１４に対向するプラテンガラス１１を原稿読取部１０から取り外した際、主電源装置がＯＦＦされて第１走査体１３及び第２走査体１４の駆動が禁止される。したがって、第１走査体１３及び第２走査体１４に対する修理等の作業を行う作業者が、動作した第１走査体１３及び第２走査体１４に接触して手等を怪我することを防止できるので、第１走査体１３及び第２走査体１４に対する作業者の安全を確保できる。また作業者が、動作した第１走査体１３及び第２走査体１４に接触して第１走査体１３及び第２走査体１４を歪ませる等して破損させることを防止できる。
【００５０】
一方、プラテンガラス１１は第１走査体１３及び第２走査体１４に対向しているので、原稿読取部１０から取り外すと第１走査体１３及び第２走査体１４が露出し、作業者が第１走査体１３及び第２走査体１４に対する作業を行い易い。そのため、プラテンガラス１１が原稿読取部１０から取り外された際は、第１走査体１３及び第２走査体１４に対して作業が行われる可能性が高いので、第１走査体１３及び第２走査体１４に対向するプラテンガラス１１が原稿読取部１０から取り外された際に第１走査体１３及び第２走査体１４の駆動を禁止することで、第１走査体１３及び第２走査体１４の周辺の他の周辺部材の着脱状態の検出を行うよりも適切に作業者の怪我等の防止、また第１走査体１３及び第２走査体１４の破損の防止を行ことができる。
【００５１】
また、センサ１７によって直接的にプラテンガラス１１の原稿読取部１０に対する着脱状態についてのプラテンガラス１１の変位を検出できるので、容易な構成でプラテンガラス１１が原稿読取部１０から取り外されたか否かを検出できる。
【００５２】
なお、この発明の実施形態では、センサ１７を用いてプラテンガラス１１の原稿読取部１０に対する着脱状態を検出しているが、特にこれに限定されるものではない。センサを用いてプラテンガラス１１を固定する部材の変位、つまりプラテンガラス１１を固定する部材がプラテンガラス１１を固定する位置にあるか否かを検出することによっても上記と同様の効果を得ることができる。例えば、図５及び図６に示すように原稿読取部１０の装置外装１０ａにおける正面側の操作パネル部７０側に、この発明の周辺部材を固定する部材であるガラス位置固定部材６５を配置する。ガラス位置固定部材６５は、図６（ａ）に示すようにガラス押え部６５ｂ及びガラス支持部６５ｃで挟持することでプラテンガラス１１を支持する。
【００５３】
また、ガラス位置固定部材６５は、回転軸６５ａを中心に図６（ｂ）に示すプラテンガラス１１を挟持した状態から図６（ｃ）に示すプラテンガラス１１を挟持しない位置まで揺動する。図６（ｃ）に示す状態は、プラテンガラス１１を原稿読取部１０から着脱可能な状態である。また、図５及び図６に示すように、プラテンガラス１１を挟持しない位置におけるガラス位置固定部材６５に対向するようにセンサ６６が装置外装１０ａに配置されている。
【００５４】
センサ６６は、図６（ｂ）に示すプラテンガラス１１が固定された状態であるガラス位置固定部材６５がプラテンガラス１１を固定する位置にある状態では制御部６０にＯＮ信号を出力し、また図６（ｃ）に示すプラテンガラス１１が原稿読取部１０から着脱可能な状態であるガラス位置固定部材６５がプラテンガラス１１を固定する位置にない状態では制御部６０にＯＦＦ信号を出力する。なお、図６（ｂ），（ｃ）は、操作パネル部７０が配置されている装置外装１０ａを除いた状態を表している。
【００５５】
制御部６０は、上記信号に基づいてプラテンガラス１１が原稿読取部１０に対して着脱可能な状態であると判断した場合は主電源装置をＯＦＦし、またプラテンガラス１１が原稿読取部１０に完全に装着されていると判断した場合は通常の動作を継続する。なお、上述の例では２つのガラス位置固定部材６５を用いているが特にこれに限定されることはない。
【００５６】
図７は、この発明の別の実施形態に係る画像形成装置の原稿読取部の一部を拡大した断面図である。図７に示すように、本体装置に備えられた主電源装置７５は、この発明の負荷装置である操作パネル部７０に接続され、電力を供給する。また、主電源装置７５は、本体装置を構成するその他の負荷装置にも接続され、電力をその他の負荷装置にも供給する。また、図７に示すように、操作パネル部７０と主電源装置７５とはコネクタ８０によって接続されている。
【００５７】
コネクタ８０は、オス型コネクタ端子８０ａ及びメス型コネクタ端子８０ｂから構成されている。オス型コネクタ端子８０ａは、本体装置に固定支持され、操作パネル部８０に接続ライン７６ａを介して接続されている。メス型コネクタ端子８０ｂは、ガイド８６によってオス型コネクタ端子との接続方向である矢印Ｚ方向に摺動自在に支持され、主電源装置７５に接続ライン７６ｂを介して接続される。また、コネクタ８０には、接離機構８５が備えられている。
【００５８】
接離機構８５は、ガイド８６、押圧部材８７及びバネ８８、８９等から構成され、プラテンガラス１１が原稿読取部１０に装着されている場合にのみコネクタ８０を接続する。ガイド８６は、メス型コネクタ端子８０ｂ及び押圧部材８７を矢印Ｚ方向に摺動自在に支持する。押圧部材８７は、図示しない開口部を有し、メス型コネクタ端子８０ｂの主電源装置７５への接続ライン７６ｂが挿通されている。バネ８８は、一端がメス型コネクタ端子８０ｂに、他端が押圧部材８７に固定されている。バネ８９は、図７（ｂ）に示すように、一端がオス型コネクタ端子８０ａに、他端がメス型コネクタ端子８０ｂに接続されている。また、接続ライン７６ａの電源供給ラインに制御部６０が接続されている。
【００５９】
一方、図７（ｂ）に示すように、コネクタ８０の図７（ｂ）の紙面下方には装置外装１０ａ、押圧規制部９０及びガラス支持部９１が備えられている。押圧規制部９０は、押圧部材８２の摺動位置を規制し、またプラテンガラス１１をガラス支持部９１とともに挟持、固定する。ガラス支持部材９１は、プラテンガラス１１を支持する。
【００６０】
上述の構成から、図７（ｂ）に示すように、プラテンガラス１１が押圧規制部９０及びガラス支持部９１に挟持されていない状態では、矢印Ｚ方向のバネ８９の弾性力によってメス型コネクタ端子８０ｂがオス型コネクタ端子８０ａから離間させられるので、オス型コネクタ端子８０ａとメス型コネクタ端子とが接続されず、主電源装置７５から操作パネル部７０に電力が供給されない。
【００６１】
一方、図７（ｃ）に示すように、プラテンガラス１１が押圧規制部９０及びガラス支持部９１に挟持される場合は、プラテンガラス１１が押圧部材８７を矢印Ｚ方向に押すので、押圧部材８７はガイド８１に沿って矢印Ｚ方向に移動する。そのため、メス型コネクタ端子８０ｂにバネ８８の矢印Ｚ方向の弾性力が加えられるので、メス型コネクタ端子８０ｂが矢印Ｚ方向に移動してオス型コネクタ端子８０ａに接続される。これにより、主電源装置７５から操作パネル部７０に電力が供給される。
【００６２】
したがって、プラテンガラス１１の原稿読取部１０に対する着脱状態に応じて操作パネル部７０に電力が供給されるか否かが切り換えられるので、接続ライン７６ａの電源供給ラインに制御部６０を接続することによって、制御部６０が操作パネル部７０の通電状態を検出してプラテンガラス１１の原稿読取部１０に対する着脱状態を判断でき、主電源装置７５のＯＮ、ＯＦＦを切り換えることができる。つまり、上述の例の構成では、制御部６０がこの発明の検出手段にも相当する。
【００６３】
これによって、上述の実施形態のようにセンサ１７及び６６を用いてプラテンガラス１１の原稿読取部１０に対する着脱状態及び着脱可能な状態を検出する必要がなく、センサ１７及び６６を用いない構成であっても上述の実施形態と同様の効果を得ることができる。
【００６４】
また、本体装置に備えられるべきコネクタ８０、操作パネル部７０及び主電源装置７５を利用してプラテンガラス１１の原稿読取部に対する着脱状態を検出できるので、コストアップを抑制できる。
【００６５】
なお、この発明の実施形態では、プラテンガラス１１が原稿読取部に装着されていない場合は、主電源装置７５をＯＦＦにして第１走査体１３及び第２走査体１４の動作を停止しているが、第１走査体１３及び第２走査体１４の駆動を禁止できれば特にこれに限定されるものではない。
【図面の簡単な説明】
【００６６】
【図１】この発明の実施形態に係る画像形成装置の概略の構成を示す断面図である。
【図２】同画像形成装置に備えられる原稿読取部の一部を拡大した断面図である。
【図３】同画像形成装置に備えられる原稿読取部の一部を拡大した断面図である。
【図４】同画像形成装置に備えられる原稿読取部の制御部の通電中の処理の一部を示すフローチャートである。
【図５】同画像形成装置に備えられる原稿読取部の一部を示す外観図である。
【図６】同画像形成装置に備えられる原稿読取部の一部を拡大した図である。
【図７】この発明の別の実施形態に係る画像形成装置に備えられる原稿読取部の一部を拡大した断面図である。
【符号の説明】
【００６７】
１０−原稿読取部
１１−プラテンガラス
１３−第１走査体
１４−第２走査体
１７−センサ
６０−制御部
６５−ガラス位置固定部材
６６−センサ
７０−操作パネル部
７５−電源装置
８０−コネクタ
８０ａ−オス型コネクタ端子
８０ｂ−メス型コネクタ端子
８１−ガイド
８２−押圧部材
８３−ばね
８４−ばね
９０−押圧規制部
９１−ガラス支持部
１００−画像形成装置
【図１】
2005115076.tif 000003
【図２】
2005115076.tif 000004
【図３】
2005115076.tif 000005
【図４】
2005115076.tif 000006
【図５】
2005115076.tif 000007
【図６】
2005115076.tif 000008
【図７】
2005115076.tif 000009